(57)【特許請求の範囲】
【請求項１】
内容物が収納された可撓性を有する積層フィルムからなる袋体の底部側外面に、最も長手方向の長さの短い背面補助板と前面板と該前面板より長手方向の長さの短い背面主板とが折罫を介して順次連接された展開状態の板紙を当該折罫にて折曲部を有するように折って背面主板上に折り重ねられた背面補助板を接着することにより前面板と背面主板および背面補助板とが対向する筒状となした筒状紙体を接着固定することにより、袋体の底部側にのみ筒状紙体を備え、袋体の上側は筒状紙体が存在せず且つ筒状紙体が存在しない部分の袋体の高さが筒状紙体の高さよりも長い構造をした包装体において、前記筒状紙体の前記折曲部の対向する位置に保形手段としての折込部が形成され、筒状紙体が存在しない部分の袋体を開封後に前記折込部を前記袋体側に折込むことにより横断面略凸レンズ形状の筒状に保形されてなることを特徴とする包装体。
【請求項２】
前記袋体は前記筒状紙体の前記折込部を設けた位置に対応する部分が少なくとも幅狭になっていることを特徴とする請求項１記載の包装体。
【請求項３】
前記袋体が前記筒状紙体内面の上縁側の対向する位置に上縁に平行に略全幅に亘って形成された上部接着部で前記筒状紙体と接着固定されていることを特徴とする請求項１〜２のいずれかに記載の包装体。
【請求項４】
前記袋体が前記筒状紙体内面の下縁側略中央部の対向する位置に形成された下部接着部で前記筒状紙体と接着固定されていることを特徴とする請求項３記載の包装体。
【請求項５】
前記袋体が両側端に折曲端部を有し、前記筒状紙体の前記折曲部に前記袋体の折曲端縁が位置するように設けられていることを特徴とする請求項１〜４のいずれかに記載の包装体。
【発明の詳細な説明】
【０００１】
【発明の属する技術分野】
本発明は、お菓子やおつまみ等の食品を収容する包装体に関し、さらに詳しくは、使用時に簡単に自立させて容器の代用として使用することができる包装体に関するものである。
【０００２】
【従来の技術】
従来から、お菓子やおつまみ等の食品が四方シールタイプ、ピロータイプ等の包装袋に収容されて駅等の売店やコンビニエンスストア等で広く販売されている。そして、これらの包装袋はいずれも自立させることができないために、販売時には平面的に並べて置かれる（平置き）か、積み重ねられて置かれるか、あるいは、縦列状に並べて置かれるか、あるいは、吊下げ可能な何等かの手段により引っ掛け具等に引っ掛けられて販売されている。
【０００３】
確かに、各種食品は上記したような包装袋に密封された状態で販売されており、販売時においては販売者にとっても購買者にとっても何等問題は生じない。しかし、購買者が包装袋に収容された食品を購入し、包装袋を開封して食品を取出して食する際には、包装袋が自立しないことが大きな問題となる。すなわち、一度包装袋を開封すると、包装袋に何等かの再封手段が具備されているか、立て掛けて置くものがない限りにおいては平置きとなるために、食品が包装袋の開封口から零れるといった問題が発生する。また特に、電車やバス等で旅行する際の車内においては振動や揺れのために上記問題は一層顕著になると共に開封した包装袋を平置きすると置くスペースが限られるために、他の食品が置けないという問題が発生する。
【０００４】
【発明が解決しようとする課題】
そこで本発明は、上記問題を解決するためになしたものであって、その目的とするところは、使用時に簡単に自立させて安定した状態で置くことができるために食品を零すことがなく、また、容器の代用として使用することができる包装体を提供することにある。
【０００５】
【課題を解決するための手段】
本発明者は、上記目的を達成するために、請求項１記載の本発明は、内容物が収納された可撓性を有する積層フィルムからなる袋体の底部側外面に、最も長手方向の長さの短い背面補助板と前面板と該前面板より長手方向の長さの短い背面主板とが折罫を介して順次連接された展開状態の板紙を当該折罫にて折曲部を有するように折って背面主板上に折り重ねられた背面補助板を接着することにより前面板と背面主板および背面補助板とが対向する筒状となした筒状紙体を接着固定することにより、袋体の底部側にのみ筒状紙体を備え、袋体の上側は筒状紙体が存在せず且つ筒状紙体が存在しない部分の袋体の高さが筒状紙体の高さよりも長い構造をした包装体において、前記筒状紙体の前記折曲部の対向する位置に保形手段としての折込部が形成され、筒状紙体が存在しない部分の袋体を開封後に前記折込部を前記袋体側に折込むことにより横断面略凸レンズ形状の筒状に保形されてなることを特徴とするものである。
【０００６】
請求項１記載の構成とすることにより、保形手段の形成が容易であると共に、筒状紙体を確実に筒状に保形することができ、包装体を自立させることができる。
【０００７】
また、請求項２記載の本発明は、請求項１記載の包装体において、前記袋体は前記筒状紙体の前記折込部を設けた位置に対応する部分が少なくとも幅狭になっていることを特徴とするものである。このように構成することにより、筒状紙体筒状にするために折込部を袋体側に折込んだ際に、前記折込部が袋体に邪魔されることなく折込むことができ、筒状紙体を一層確実に筒状に保形することができる。
【０００８】
また、請求項３記載の本発明は、請求項１〜２のいずれかに記載の包装体において、前記袋体が前記筒状紙体内面の上縁側の対向する位置に上縁に平行に略全幅に亘って形成された上部接着部で前記筒状紙体と接着固定されていることを特徴とするものである。このように構成することにより、折込部を袋体側に折込んで筒状紙体とした際に、袋体が皺になることなく開かれるために、見栄えのよい自立状態を得ることができる。
【０００９】
また、請求項４記載の本発明は、請求項３記載の包装体において、前記袋体が前記筒状紙体内面の下縁側略中央部の対向する位置に形成された下部接着部で前記筒状紙体と接着固定されていることを特徴とするものである。このように構成することにより、袋体の底部が確実に拡開されるために、一層安定した状態で自立させることができる。
【００１０】
また、請求項５記載の本発明は、請求項１〜４のいずれかに記載の包装体において、前記袋体が両側端に折曲端部を有し、前記筒状紙体の前記折曲部に前記袋体の前記折曲端縁が位置するように設けられていることを特徴とするものである。このように構成することにより、袋体が筒状紙体にきっちり沿って開かれるために、一層見栄えのよい自立状態を得ることができる。
【００１１】
【発明の実施の形態】
上記の本発明について、図面等を用いて以下に詳述する。
図１は本発明にかかる包装体の一実施例を示す透視背面図、図２は図１に示す包装体を構成する筒状紙体の正面から見た展開図、図３は図１に示す包装体の使用状態を説明する図、図４は本発明にかかる包装体を構成する袋体の他の実施例を示す斜視図、図５は本発明にかかる包装体を構成する袋体の更に他の実施例を示す斜視図であり、図中のＡは包装体、１は袋体、２は筒状紙体、２’は筒状紙体のブランク板、１０、１０’は折曲端縁、１１，１１’は背シール部、１２，１２’は底部熱接着部、１３は天部熱接着予定部、１４は上部接着部、１５は下部接着部、１６は側部熱接着部、２０，２０’は折曲部、２１，２１’は折込部、２４，２５，２４３，２５３は折罫、３０，３１はＶ字状折込部、２１０は前面板、２２０は背面主板、２２０’は背面補助板、２４１，２５１は切刃、２４２，２５２，２４４，２５４は切欠部をそれぞれ示す。
【００１２】
図１は本発明にかかる包装体の一実施例を示す透視背面図であり、包装体Ａは、内層に熱接着性樹脂層を有する矩形状の積層フィルムの対向する両端部の内層を合わせて熱接着することにより合掌貼りされた背シール部１１と両端部の一方の端部（図１上、底部側）を舟底状の底部熱接着部１２で熱接着すると共に舟底状の外形となるように前記底部熱接着部１２の外縁に沿って切断し、他方の端部（図１上、天部側）に開口部を有するように製袋された逆台形状をした変形ピロータイプの袋体１の底部側外面に板紙を２つの折曲部２０、２０’を有するように折って矩形状となした筒状紙体２を前記袋体１の両折曲端縁１０、１０’と前記筒状紙体２の前記折曲部２０、２０’が略一致するように接着固定したものである。なお、他方の端部（図１上、天部側）の開口部は、この開口部からお菓子やおつまみ等の食品が充填されるなどした後に、天部熱接着予定部１３で熱接着されて封止されるものである。
【００１３】
そして、前記筒状紙体２の前記両折曲部２０、２０’の対向する位置に前記筒状紙体２を筒状に保持する保形手段としての折込部２１、２１’が設けられると共に前記筒状紙体２を筒状に保形するために前記折込部２１、２１’を前記袋体１側に折込んだ際に、前記折込部２１、２１’が袋体１に邪魔されることなく折込むことができるように前記袋体１の前記底部熱接着部１２の傾斜部が位置するように前記袋体１は前記筒状紙体２に接着固定されている。
【００１４】
また、前記袋体１と前記筒状紙体２とは、前記筒状紙体２内面の上縁側の対向する位置に上縁に平行に略全幅に亘って形成された上部接着部１４と前記筒状紙体２の下縁側略中央部の対向する位置に形成された下部接着部１５とで接着固定されている。このように前記袋体１と前記筒状紙体２とを接着固定することにより、前記折込部２１、２１’を前記袋体１側に折込んで前記筒状紙体２を筒状とした際に、前記袋体１の前記筒状紙体２の上縁側が皺になることなく前記筒状紙体２に沿って開かれるために前記袋体１を見栄えのよい筒状形状とすることができ、また、前記袋体１の底部が確実に拡開されるために、安定した状態で自立させることができる。なお、前記下部接着部１４の形成位置は、前記筒状紙体２を筒状としたときの拡開幅と前記袋体１の前記底部熱接着部１２の底部内縁からの距離を考慮して適宜決められるべきものである。また、前記上部接着部１４および前記下部接着部１５を図１上では帯状で示したが、複数個の点状からなる接着部であってもよいものである。さらにまた、前記上部接着部１４および前記下部接着部１５を形成する材料としては特に限定するものではないが、周知のホットメルト接着剤により形成するのが適当である。
【００１５】
次に、本発明の包装体Ａを構成する袋体１の構成について説明する。
前記袋体１の内層の熱接着性樹脂層としては、熱により溶融し相互に溶着し得る熱接着性樹脂から形成された層であれば特に限定されるものではなく、袋体１に要求される物性により適宜選択されるべきものであり、例示するならば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂を挙げることができる。
【００１６】
そして、前記袋体１は内層のみで構成することもできるが、通常は内層の外面に外層として機械的、物理的、化学的等において優れた性質を有する合成樹脂製フィルムが積層される。この合成樹脂製フィルムとしては、たとえば、ポリエステル系、ポリアミド系、ポリプロピレン系、ポリアセタール系等の樹脂からなるフィルムを挙げることができる。これらの樹脂からなるフィルムとしては、未延伸フィルム、あるいは、一軸方向ないし二軸方向に延伸した延伸フィルム等のいずれのものでも使用することができ、フィルムの厚さとしては前記袋体１に求められる諸物性やコスト等を勘案して適宜決められるべきものである。また、前記袋体１に要求される物性によってはセロハンを用いてもよいものである。
【００１７】
また、前記袋体１は、外層と内層との間に必要に応じて中間層が設けられる。この中間層は、酸素ガス、水蒸気ガス等のガスバリアー性、および／ないし、遮光性を付与するために設けられる層であり、この中間層を構成する材料としては、たとえば、アルミニウム、鉄、銅、錫等の金属箔、あるいは、ポリビニルアルコール、エチレン−酢酸ビニル共重合体ケン化物、ポリ塩化ビニリデン等のフィルム、あるいは、ポリエステル、ポリアミド、ポリエチレン，ポリプロピレン，エチレン−プロピレン共重合体等のポリオレフィン、ポリビニルアルコール等のフィルムにポリ塩化ビニリデンを塗工したフィルムないしはアルミニウム、酸化珪素、酸化アルミニウム、酸化インジウム、酸化錫、酸化ジルコニウム等の無機物の蒸着を施したフィルムなど挙げることができる。また、前記中間層は、上記したガスバリアー性、および／ないし、遮光性を付与するのみならず、たとえば、機械的強靭性、耐屈曲性、耐突き刺し性、耐衝撃性、耐寒性、耐熱性、耐薬品性等の機能を付与することができ、上記したガスバリアー性、および／ないし、遮光性を付与する材料と、たとえば、ポリエステル、ポリアミド、ポリエチレン，ポリプロピレン，エチレン−プロピレン共重合体等のポリオレフィン等のフィルムと組合わせて用いても構わない。
【００１８】
なお、外層に用いる上記した合成樹脂製フィルムにポリ塩化ビニリデンを塗工したものやアルミニウム、酸化珪素、酸化アルミニウム、酸化インジウム、酸化錫、酸化ジルコニウム等の無機物の蒸着層を形成したものを用いる場合には、ガスバリアー性、および／ないし、遮光性を付与するための前記中間層は用いなくともよいが、必要に応じて、たとえば、機械的強靭性、耐屈曲性、耐突き刺し性、耐衝撃性、耐寒性、耐熱性、耐薬品性等の機能を付与するために、たとえば、ポリエステル、ポリアミド、あるいは、ポリエチレン，ポリプロピレン，エチレン−プロピレン共重合体等のポリオレフィン等のフィルムなどの一種ないしそれ以上を組み合わせて中間層として用いることができる。
【００１９】
次に、本発明の包装体Ａを構成する筒状紙体２について説明する。
図２は図１に示す包装体を構成する筒状紙体の正面から見た展開図であって、筒状紙体２は、背面補助板２２０’、前面板２１０、背面主板２２０が折罫２４、２５を介して順次連接されると共に前記折罫２４及び２５のそれぞれの略中央部に前記折罫２４及び２５に対して線対称となるように略コの字形状の切刃２４１、２５１が設けられ、そして前記切刃２４１、２５１に連接して上縁側に前記折罫２４及び２５に対して線対称となるように略半円状の切欠部２４２、２５２が設けられ、かつ、前記切刃２４１、２５１のそれぞれの両端部から下縁側に延びて前記折罫２４及び２５にそれぞれ交わる前記折罫２４及び２５に対して線対称な折罫２４３、２４３及び２５３、２５３が設けられると共に、前記折罫２４と前記折罫２４３、２４３の交点（図示せず）及び前記折罫２５と前記折罫２５３、２５３の交点（図示せず）をそれぞれ中心とする円形状の切欠部２４４、２５４が設けられたブランク板２’から構成されている。
【００２０】
そして、前記ブランク板２’を図２の裏面が上側になるように置いて前記前面板２１０と前記背面主板２２０にホットメルト接着剤を塗布して上部接着部１４（図１参照）と下部接着部１５（図１参照）を形成すると共に前記袋体１の背シール部を上側にして前記前面板２１０に図１に示すように載置し、まず前記背面主板２２０を前記折罫２５で前記袋体１上に折り重ね、次に前記背面主板２２０上に前記背面補助板２２０’を前記折罫２４で折り重ねると共に前記背面主板２２０と前記背面補助板２２０’とを接着剤等により接着することにより、図１に示す包装体Ａを得ることができる。なお、前記ブランク板２’は、周知の打抜機（型抜き機）で容易に製造することができる。
【００２１】
ところで、図１に示した前記折込部２０は前記切刃２４１と前記略半円状の切欠部２４２と前記折罫２４３、２４３と前記円形状の切欠部２４４及び前記切刃２４１と前記円形状の切欠部２４４との間の前記折罫２４で形成されるように構成されると共に、前記折込部２０’は前記切刃２５１と前記略半円状の切欠部２５２と前記折罫２５３、２５３と前記円形状の切欠部２５４及び前記切刃２５１と前記円形状の切欠部２５４との間の前記折罫２５で形成されるように構成される。なお、前記筒状紙体２を構成する材料としては、たとえば、２００〜３４０ｇ／ｍ2の板紙が適当である。
【００２２】
図３は図１に示す包装体の使用状態を説明する図であって、お菓子やおつまみ等の食品（図示せず）が収容された包装体Ａを購入した購買者は、まず包装体Ａの袋体１を開封すると共に、筒状紙体２に設けられた折込部２０、２０’を前記袋体１側に折込むことにより図３に示すように前記筒状紙体２が筒状に保形されるために、この状態で自立させて安定して置くことができ、容器の代用として使用することができると共に食品が包装体Ａの開封口から零れることもない。また、自立させて置くことができるために置くスペースが限られる車内等でも複数の食品を置くことができ、車内の楽しさが増大する。
【００２３】
ところで、図１に示した包装体Ａは、本発明の一実施例を示したものであって、これに限るものではなく、包装体Ａを構成する袋体１としては、たとえば、図４に示すような両側部に浅いＶ字状折込部３０を備えたガセットタイプの袋（斜線で示した部分は背シール部１１と底部熱接着部１２’）、あるいは、図示はしないが通常のピロータイプや三方シールタイプ、四方シールタイプの袋であってもよいし、また、図１に示したように上記した三方シールタイプ、四方シールタイプ、ガセットタイプの袋の底部が舟型状に形成されると共に舟型状の底部熱接着部を有する形状に製袋された袋であってもよいものである。さらにまた、包装体Ａを構成する袋体１としては、図５に示すように底部にＶ字状折込部３１を備えると共に両側端部を熱接着して側部熱接着部１６を形成した底部にガセット部を有する袋体とすることにより、図示はしないが図１に示した包装体Ａは袋体１の底部が筒状紙体２から露出するのに対して袋体の底部を筒状紙体２内に露出することなく納めることができるために見栄えの良い包装体とすることができる。また、図示はしないが、前記袋体１には開封を容易ならしめるための易開封手段、たとえば、ＩノッチやＶノッチ等のノッチ、あるいは、袋体の外層等に形成される傷痕群〔所謂マジックカット（登録商標）〕などの周知の易開封手段が袋体の種類により適宜の個所に適宜に設けられている。さらにまた、図示はしないが、たとえば、図１に示す天部熱接着予定部１３を多少幅広に形成し、前記熱接着予定部１３の略中央部に円形状の切欠を設けた構成とすることにより、店頭において引っ掛け具等に引っ掛けて販売することも可能となる。
【００２４】
また、袋体と同様に筒状紙体２についても本発明の一実施例を示したものであって、これに限るものではなく、折曲部を有するように折って筒状に形成され、かつ、何等かの保形手段が設けられているものは、本発明の趣旨を逸脱しない範囲で本発明に含まれるものである。
【００２５】
【発明の効果】
本発明の包装体は、今まで縷々説明してきたが、販売時等においては嵩張ることなく四方シールタイプやピロータイプ等の包装袋と同様に取扱うことができ、購買者が購入して食する際には、簡単に自立させて安定した状態で置くことができるために食品を零すことがなく、また、容器の代用として使用することができるという優れた効果を奏するものである。また、自立させて置くことができるために置くスペースが限られる車内等でも複数の食品を置くことができるという優れた効果を奏するものである。
【図面の簡単な説明】
【図１】本発明にかかる包装体の一実施例を示す透視背面図である。
【図２】図１に示す包装体を構成する筒状紙体の正面から見た展開図である。
【図３】図１に示す包装体の使用状態を説明する図である。
【図４】本発明にかかる包装体を構成する袋体の他の実施例を示す斜視図である。
【図５】本発明にかかる包装体を構成する袋体の更に他の実施例を示す斜視図である。
【符号の説明】
Ａ                                  包装体
１                                  袋体
２                                  筒状紙体
２’                                筒状紙体のブランク板
１０、１０’                        折曲端縁
１１，１１’                        背シール部
１２，１２’                        底部熱接着部
１３                                天部熱接着予定部
１４                                上部接着部
１５                                下部接着部
１６                                側部熱接着部
２０，２０’                        折曲部
２１，２１’                        折込部
２４，２５，２４３，２５３          折罫
３０，３１                          Ｖ字状折込部
２１０                              前面板
２２０                              背面主板
２２０’                            背面補助板
２４１，２５１                      切刃
２４２，２５２，２４４，２５４      切欠部
【図１】
0004373048.tif 000002
【図２】
0004373048.tif 000003
【図３】
0004373048.tif 000004
【図４】
0004373048.tif 000005
【図５】
0004373048.tif 000006